(57)【要約】【課題】１のＬＡＮ上に複数のＲＳＳリーダがある場合における回線負荷を軽減させ得る情報取得装置、情報取得プログラム、及び、情報取得システムを提供すること。【解決手段】本発明によれば、設定対象とされた位置情報が示すＷＡＮ上の位置に接続してコンテンツ要約情報を取得する情報取得装置が、各情報取得装置のＷＡＮへの接続頻度に応じて、本情報取得装置か、他の情報取得装置かのいずれかに設定され、設定された方の情報取得装置が代表となってコンテンツ要約情報を取得し、他方の情報取得装置は該代表の情報取得装置を経由して該コンテンツ要約情報を取得する。よって、個々の情報取得装置がコンテンツ要約情報の取得を行う場合に比べ、回線負荷を軽減できる。【選択図】図８
2010086272.tif 000002
【特許請求の範囲】
【請求項１】
コンテンツの位置情報と該コンテンツのタイトルとを少なくとも含むコンテンツ要約情報の位置情報が示すＷＡＮ上の位置に所定のタイミングで接続して前記コンテンツ要約情報を取得する情報取得装置であって、
前記コンテンツ要約情報の位置情報が示すＷＡＮ上の位置に接続するタイミングの設定情報を記憶する設定情報記憶手段と、
本情報取得装置とＬＡＮ上にて通信可能に接続され前記コンテンツ要約情報の位置情報が示すＷＡＮ上の位置に所定のタイミングで接続可能な他の情報取得装置に記憶されている該コンテンツ要約情報の位置情報が示すＷＡＮ上の位置に接続するタイミングの設定情報を取得する設定情報取得手段と、
前記他の情報取得装置から、該他の情報取得装置に記憶されている前記コンテンツ要約情報の位置情報を収集する位置情報収集手段と、
前記設定情報取得手段に記憶される本情報取得装置の設定情報と、前記設定情報取得手段により取得された前記他の情報取得装置に記憶されている設定情報とに基づいて、接続の頻度を比較する頻度比較手段と、
前記位置情報収集手段により収集された前記他の情報取得装置に記憶されている前記コンテンツ要約情報の位置情報の少なくとも一部を設定対象とし、設定対象とされた前記位置情報が示すＷＡＮ上の位置に接続して前記コンテンツ要約情報を取得する情報取得装置を本情報取得装置とするか他の情報取得装置とするかを、前記頻度比較手段による比較された接続の頻度に基づいて設定する接続装置設定手段と、
前記接続装置設定手段により前記情報取得装置として本情報取得装置が設定された場合には、前記設定情報記憶手段に記憶されるタイミングで、前記設定対象とされた位置情報が示すＷＡＮ上の位置に接続して前記コンテンツ要約情報を取得し、前記他の情報取得装置へ該コンテンツ要約情報を供与する一方で、前記接続装置設定手段により前記情報取得装置として他の情報取得装置が設定された場合には、該他の情報取得装置が所定のタイミングで前記設定対象とされた位置情報が示すＷＡＮ上の位置に接続して取得した前記コンテンツ要約情報を、該他の情報取得装置から取得する要約情報共有手段とを備えていることを特徴とする情報取得装置。
【請求項２】
前記接続装置設定手段は、
前記頻度比較手段による比較により接続の頻度が高いとされた情報取得装置が本情報取得装置であった場合には、該本情報取得装置が、前記設定対象とされた位置情報が示すＷＡＮ上の位置へ接続して前記コンテンツ要約情報を取得する第１の設定を行うと共に、該第１の設定を前記他の情報取得装置へ指示する第１の設定手段と、
前記頻度比較手段による比較により接続の頻度が高いとされた情報取得装置が前記他の情報取得装置であった場合には、該他の情報取得装置に、前記設定対象とされた位置情報が示すＷＡＮ上の位置へ接続させて前記コンテンツ要約情報を取得させる第２の設定を行うと共に、該第２の設定を前記他の情報取得装置へ指示する第２の設定手段とを備えていることを特徴とする請求項１記載の情報取得装置。
【請求項３】
前記第２の設定手段は、前記他の情報取得装置が前記コンテンツ要約情報の位置情報が示すＷＡＮ上の位置に接続するタイミングから所定期間後のタイミングで、該他の情報取得装置へ、該他の情報取得装置が取得した前記コンテンツ要約情報を取得するよう設定する取得タイミング設定手段を含むことを特徴とする請求項２記載の情報取得装置。
【請求項４】
前記コンテンツ要約情報の位置情報を記憶する位置情報記憶手段を備え、
前記第２の設定手段は、前記位置情報記憶手段に記憶される前記設定対象とされた位置情報の各々を、対応する前記コンテンツ要約情報を取得して格納した前記他の情報取得装置内における格納位置を示す位置情報に設定する参照位置設定手段を含むことを特徴とする請求項２又は３に記載の情報取得装置。
【請求項５】
前記コンテンツ要約情報の位置情報を記憶する位置情報記憶手段を備え、
前記頻度比較手段は、前記位置情報収集手段により収集された前記他の情報取得装置に記憶されている前記コンテンツ要約情報の位置情報の中に、前記位置情報記憶手段に記憶されている位置情報と一致する位置情報がある場合に、該一致する位置情報を記憶する他の情報取得装置に記憶される設定情報と、前記設定情報取得手段に記憶される本情報読み取り装置の設定情報とに基づいて、接続の頻度を比較するものであることを特徴とする請求項１から４のいずれかに記載の情報取得装置。
【請求項６】
コンテンツの位置情報と該コンテンツのタイトルとを少なくとも含むコンテンツ要約情報の位置情報が示すＷＡＮ上の位置に所定のタイミングで接続して前記コンテンツ要約情報を取得する情報取得装置を機能させる情報取得プログラムであって、
前記情報取得装置は、前記コンテンツ要約情報の位置情報が示すＷＡＮ上の位置に接続するタイミングの設定情報を記憶する設定情報記憶手段を有し、
本情報取得装置とＬＡＮ上にて通信可能に接続され前記コンテンツ要約情報の位置情報が示すＷＡＮ上の位置に所定のタイミングで接続可能な他の情報取得装置に記憶されている該コンテンツ要約情報の位置情報が示すＷＡＮ上の位置に接続するタイミングの設定情報を取得する設定情報取得ステップと、
前記他の情報取得装置から、該他の情報取得装置に記憶されている前記コンテンツ要約情報の位置情報を収集する位置情報収集ステップと、
前記設定情報取得ステップに記憶される本情報取得装置の設定情報と、前記設定情報取得ステップにより取得された前記他の情報取得装置に記憶されている設定情報とに基づいて、接続の頻度を比較する頻度比較ステップと、
前記位置情報収集ステップにより収集された前記他の情報取得装置に記憶されている前記コンテンツ要約情報の位置情報の少なくとも一部を設定対象とし、設定対象とされた前記位置情報が示すＷＡＮ上の位置に接続して前記コンテンツ要約情報を取得する情報取得装置を本情報取得装置とするか他の情報取得装置とするかを、前記頻度比較ステップによる比較された接続の頻度に基づいて設定する接続装置設定ステップと、
前記接続装置設定ステップにより前記情報取得装置として本情報取得装置が設定された場合には、前記設定情報記憶手段に記憶されるタイミングで、前記設定対象とされた位置情報が示すＷＡＮ上の位置に接続して前記コンテンツ要約情報を取得し、前記他の情報取得装置へ該コンテンツ要約情報を供与する一方で、前記接続装置設定ステップにより前記情報取得装置として他の情報取得装置が設定された場合には、該他の情報取得装置が所定のタイミングで前記設定対象とされた位置情報が示すＷＡＮ上の位置に接続して取得した前記コンテンツ要約情報を、該他の情報取得装置から取得する要約情報共有ステップとを備えていることを特徴とする情報取得プログラム。
【請求項７】
コンテンツの位置情報と該コンテンツのタイトルとを少なくとも含むコンテンツ要約情報の位置情報が示すＷＡＮ上の位置に所定のタイミングで接続して前記コンテンツ要約情報を取得する情報取得装置の複数がＬＡＮ上にて互いに通信可能に接続された情報取得システムであって、
本情報取得システムを構成する１の情報取得装置は、
前記コンテンツ要約情報の位置情報が示すＷＡＮ上の位置に接続するタイミングの設定情報を記憶する設定情報記憶手段と、
該１の情報取得装置とＬＡＮ上にて通信可能に接続された他の情報取得装置に記憶されている該コンテンツ要約情報の位置情報が示すＷＡＮ上の位置に接続するタイミングの設定情報を取得する設定情報取得手段と、
前記他の情報取得装置から、該他の情報取得装置に記憶されている前記コンテンツ要約情報の位置情報を収集する位置情報収集手段と、
前記設定情報取得手段に記憶される前記１の情報取得装置の設定情報と、前記設定情報取得手段により取得された前記他の情報取得装置に記憶されている設定情報とに基づいて、接続の頻度を比較する頻度比較手段と、
前記位置情報収集手段により収集された前記他の情報取得装置に記憶されている前記コンテンツ要約情報の位置情報の少なくとも一部を設定対象とし、設定対象とされた前記位置情報が示すＷＡＮ上の位置に接続して前記コンテンツ要約情報を取得する情報取得装置を前記１の情報取得装置とするか他の情報取得装置とするかを、前記頻度比較手段による比較された接続の頻度に基づいて設定する接続装置設定手段と、
前記接続装置設定手段により前記情報取得装置として前記１の情報取得装置が設定された場合には、前記設定情報記憶手段に記憶されるタイミングで、前記設定対象とされた位置情報が示すＷＡＮ上の位置に接続して前記コンテンツ要約情報を取得し、前記他の情報取得装置へ該コンテンツ要約情報を供与する一方で、前記接続装置設定手段により前記情報取得装置として他の情報取得装置が設定された場合には、該他の情報取得装置が所定のタイミングで前記設定対象とされた位置情報が示すＷＡＮ上の位置に接続して取得した前記コンテンツ要約情報を、該他の情報取得装置から取得する要約情報共有手段とを備えていることを特徴とする情報取得システム。
【発明の詳細な説明】
【技術分野】
【０００１】
本発明は、情報取得装置、情報取得プログラム、及び情報取得システムに関するものである。
【背景技術】
【０００２】
ネットワーク上にて公開されるコンテンツ（例えば、Ｗｅｂサイト）のタイトル及びＵＲＬ（Ｕｎｉｆｏｒｍ  Ｒｅｓｏｕｒｓｅ  Ｌｏｃａｔｏｒ）を含むコンテンツ要約情報を配信するサーバが存在する。例えば、コンテンツ要約情報の１つであるフィード情報を、ＲＳＳ（Ｒｅｓｏｕｒｃｅ  Ｄｅｓｃｒｉｐｔｉｏｎ  Ｆｒａｍｅｗｏｒｋ  Ｓｉｔｅ  Ｓｕｍｍａｒｙ）形式で配信するＲＳＳサーバが存在する。
【０００３】
特許文献１には、複数のＲＳＳサーバからＲＳＳ形式のフィード情報（ＲＳＳフィード情報）を取得するリーダ（ＲＳＳリーダ）が記載されている。特許文献１に記載されるＲＳＳリーダは、ＲＳＳサーバから取得したＲＳＳフィードのタイトルと共に、各タイトルに対応するコンテンツへのリンクボタンを表示装置に一覧表示し、ユーザが所望のリンクボタンを選択した場合に、対応するコンテンツを表示する。  
【特許文献１】特開２００８−１６５６９２号公報
【発明の開示】
【発明が解決しようとする課題】
【０００４】
しかしながら、１のＬＡＮ（Ｌｏｃａｌ Ａｒｅａ  Ｎｅｔｗｏｒｋ）上に複数のＲＳＳリーダを設け、ＷＡＮ（Ｗｉｄｅ Ａｒｅａ  Ｎｅｔｗｏｒｋ）上のＲＳＳサーバのフィード情報を参照する構成とした場合、これら複数のＲＳＳリーダが個々にＲＳＳサーバのフィード情報を参照するので、１のＬＡＮからＷＡＮにアクセスするまでの回線や通信機器に過度の負荷がかかり、ＲＳＳサーバとの通信に悪影響（例えば、ビジー状態の発生）を与える虞があった。また、１のＬＡＮから何度も行われる参照について、異常な行為であるとＲＳＳサーバ側で判断され、ＲＳＳフィードの取得に際して、なんらかの制限がかけられる虞もあった。
【０００５】
本発明は、上述した事情を鑑みてなされたものであり、１のＬＡＮ上に複数のＲＳＳリーダ（情報取得装置）がある場合における回線負荷を軽減させ得る情報取得装置、情報取得プログラム、及び、情報取得システムを提供することを目的とする。
【課題を解決するための手段】
【０００６】
この目的を解決するために、請求項１記載の情報取得装置は、コンテンツの位置情報と該コンテンツのタイトルとを少なくとも含むコンテンツ要約情報の位置情報が示すＷＡＮ上の位置に所定のタイミングで接続して前記コンテンツ要約情報を取得するものであって、前記コンテンツ要約情報の位置情報が示すＷＡＮ上の位置に接続するタイミングの設定情報を記憶する設定情報記憶手段と、本情報取得装置とＬＡＮ上にて通信可能に接続され前記コンテンツ要約情報の位置情報が示すＷＡＮ上の位置に所定のタイミングで接続可能な他の情報取得装置に記憶されている該コンテンツ要約情報の位置情報が示すＷＡＮ上の位置に接続するタイミングの設定情報を取得する設定情報取得手段と、前記他の情報取得装置から、該他の情報取得装置に記憶されている前記コンテンツ要約情報の位置情報を収集する位置情報収集手段と、前記設定情報取得手段に記憶される本情報取得装置の設定情報と、前記設定情報取得手段により取得された前記他の情報取得装置に記憶されている設定情報とに基づいて、接続の頻度を比較する頻度比較手段と、前記位置情報収集手段により収集された前記他の情報取得装置に記憶されている前記コンテンツ要約情報の位置情報の少なくとも一部を設定対象とし、設定対象とされた前記位置情報が示すＷＡＮ上の位置に接続して前記コンテンツ要約情報を取得する情報取得装置を本情報取得装置とするか他の情報取得装置とするかを、前記頻度比較手段による比較された接続の頻度に基づいて設定する接続装置設定手段と、前記接続装置設定手段により前記情報取得装置として本情報取得装置が設定された場合には、前記設定情報記憶手段に記憶されるタイミングで、前記設定対象とされた位置情報が示すＷＡＮ上の位置に接続して前記コンテンツ要約情報を取得し、前記他の情報取得装置へ該コンテンツ要約情報を供与する一方で、前記接続装置設定手段により前記情報取得装置として他の情報取得装置が設定された場合には、該他の情報取得装置が所定のタイミングで前記設定対象とされた位置情報が示すＷＡＮ上の位置に接続して取得した前記コンテンツ要約情報を、該他の情報取得装置から取得する要約情報共有手段とを備えている。
【０００７】
請求項２記載の情報取得装置は、請求項１記載の情報取得装置において、前記接続装置設定手段は、前記頻度比較手段による比較により接続の頻度が高いとされた情報取得装置が本情報取得装置であった場合には、該本情報取得装置が、前記設定対象とされた位置情報が示すＷＡＮ上の位置へ接続して前記コンテンツ要約情報を取得する第１の設定を行うと共に、該第１の設定を前記他の情報取得装置へ指示する第１の設定手段と、前記頻度比較手段による比較により接続の頻度が高いとされた情報取得装置が前記他の情報取得装置であった場合には、該他の情報取得装置に、前記設定対象とされた位置情報が示すＷＡＮ上の位置へ接続させて前記コンテンツ要約情報を取得させる第２の設定を行うと共に、該第２の設定を前記他の情報取得装置へ指示する第２の設定手段とを備えている。
【０００８】
請求項３記載の情報取得装置は、請求項２記載の情報取得装置において、前記第２の設定手段は、前記他の情報取得装置が前記コンテンツ要約情報の位置情報が示すＷＡＮ上の位置に接続するタイミングから所定期間後のタイミングで、該他の情報取得装置へ、該他の情報取得装置が取得した前記コンテンツ要約情報を取得するよう設定する取得タイミング設定手段を含む。
【０００９】
請求項４記載の情報取得装置は、請求項２又は３に記載の情報取得装置において、前記コンテンツ要約情報の位置情報を記憶する位置情報記憶手段を備え、前記第２の設定手段は、前記位置情報記憶手段に記憶される前記設定対象とされた位置情報の各々を、対応する前記コンテンツ要約情報を取得して格納した前記他の情報取得装置内における格納位置を示す位置情報に設定する参照位置設定手段を含む。
【００１０】
請求項５記載の情報取得装置は、請求項１から４のいずれかに記載の情報取得装置において、前記コンテンツ要約情報の位置情報を記憶する位置情報記憶手段を備え、前記頻度比較手段は、前記位置情報収集手段により収集された前記他の情報取得装置に記憶されている前記コンテンツ要約情報の位置情報の中に、前記位置情報記憶手段に記憶されている位置情報と一致する位置情報がある場合に、該一致する位置情報を記憶する他の情報取得装置に記憶される設定情報と、前記設定情報取得手段に記憶される本情報読み取り装置の設定情報とに基づいて、接続の頻度を比較するものである。
【００１１】
請求項６記載の情報取得プログラムは、コンテンツの位置情報と該コンテンツのタイトルとを少なくとも含むコンテンツ要約情報の位置情報が示すＷＡＮ上の位置に所定のタイミングで接続して前記コンテンツ要約情報を取得する情報取得装置を機能させるプログラムであって、前記情報取得装置は、前記コンテンツ要約情報の位置情報が示すＷＡＮ上の位置に接続するタイミングの設定情報を記憶する設定情報記憶手段を有し、本情報取得装置とＬＡＮ上にて通信可能に接続され前記コンテンツ要約情報の位置情報が示すＷＡＮ上の位置に所定のタイミングで接続可能な他の情報取得装置に記憶されている該コンテンツ要約情報の位置情報が示すＷＡＮ上の位置に接続するタイミングの設定情報を取得する設定情報取得ステップと、前記他の情報取得装置から、該他の情報取得装置に記憶されている前記コンテンツ要約情報の位置情報を収集する位置情報収集ステップと、前記設定情報取得ステップに記憶される本情報取得装置の設定情報と、前記設定情報取得ステップにより取得された前記他の情報取得装置に記憶されている設定情報とに基づいて、接続の頻度を比較する頻度比較ステップと、前記位置情報収集ステップにより収集された前記他の情報取得装置に記憶されている前記コンテンツ要約情報の位置情報の少なくとも一部を設定対象とし、設定対象とされた前記位置情報が示すＷＡＮ上の位置に接続して前記コンテンツ要約情報を取得する情報取得装置を本情報取得装置とするか他の情報取得装置とするかを、前記頻度比較ステップによる比較された接続の頻度に基づいて設定する接続装置設定ステップと、前記接続装置設定ステップにより前記情報取得装置として本情報取得装置が設定された場合には、前記設定情報記憶手段に記憶されるタイミングで、前記設定対象とされた位置情報が示すＷＡＮ上の位置に接続して前記コンテンツ要約情報を取得し、前記他の情報取得装置へ該コンテンツ要約情報を供与する一方で、前記接続装置設定ステップにより前記情報取得装置として他の情報取得装置が設定された場合には、該他の情報取得装置が所定のタイミングで前記設定対象とされた位置情報が示すＷＡＮ上の位置に接続して取得した前記コンテンツ要約情報を、該他の情報取得装置から取得する要約情報共有ステップとを備えている。
【００１２】
請求項７記載の情報取得システムは、コンテンツの位置情報と該コンテンツのタイトルとを少なくとも含むコンテンツ要約情報の位置情報が示すＷＡＮ上の位置に所定のタイミングで接続して前記コンテンツ要約情報を取得する情報取得装置の複数がＬＡＮ上にて互いに通信可能に接続されたシステムであって、本情報取得システムを構成する１の情報取得装置は、前記コンテンツ要約情報の位置情報が示すＷＡＮ上の位置に接続するタイミングの設定情報を記憶する設定情報記憶手段と、該１の情報取得装置とＬＡＮ上にて通信可能に接続された他の情報取得装置に記憶されている該コンテンツ要約情報の位置情報が示すＷＡＮ上の位置に接続するタイミングの設定情報を取得する設定情報取得手段と、前記他の情報取得装置から、該他の情報取得装置に記憶されている前記コンテンツ要約情報の位置情報を収集する位置情報収集手段と、前記設定情報取得手段に記憶される前記１の情報取得装置の設定情報と、前記設定情報取得手段により取得された前記他の情報取得装置に記憶されている設定情報とに基づいて、接続の頻度を比較する頻度比較手段と、前記位置情報収集手段により収集された前記他の情報取得装置に記憶されている前記コンテンツ要約情報の位置情報の少なくとも一部を設定対象とし、設定対象とされた前記位置情報が示すＷＡＮ上の位置に接続して前記コンテンツ要約情報を取得する情報取得装置を前記１の情報取得装置とするか他の情報取得装置とするかを、前記頻度比較手段による比較された接続の頻度に基づいて設定する接続装置設定手段と、前記接続装置設定手段により前記情報取得装置として前記１の情報取得装置が設定された場合には、前記設定情報記憶手段に記憶されるタイミングで、前記設定対象とされた位置情報が示すＷＡＮ上の位置に接続して前記コンテンツ要約情報を取得し、前記他の情報取得装置へ該コンテンツ要約情報を供与する一方で、前記接続装置設定手段により前記情報取得装置として他の情報取得装置が設定された場合には、該他の情報取得装置が所定のタイミングで前記設定対象とされた位置情報が示すＷＡＮ上の位置に接続して取得した前記コンテンツ要約情報を、該他の情報取得装置から取得する要約情報共有手段とを備えている。
【発明の効果】
【００１３】
請求項１記載の情報取得装置によれば、設定対象とされた位置情報が示すＷＡＮ上の位置に接続してコンテンツ要約情報を取得する情報取得装置が、本情報取得装置か、他の情報取得装置かのいずれかに設定され、設定された方の情報取得装置が代表となってコンテンツ要約情報を取得し、他方の情報取得装置は該代表の情報取得装置を経由して該コンテンツ要約情報を取得する。よって、個々の情報取得装置がコンテンツ要約情報の取得を行う場合に比べ、回線負荷を軽減できるという効果がある。
【００１４】
また、コンテンツ要約情報を代表して取得する情報取得装置の設定は、各情報取得装置のＷＡＮへの接続頻度に応じて設定されるので、例えば、高頻度での接続（情報の取得）が要求される情報取得装置であっても、不足なく情報を取得するようにすることが可能であるという効果がある。なお、請求項６記載の情報取得プログラム、及び、請求項７記載の情報取得システムもまた、請求項１記載の情報取得装置と同様の効果を奏する。
【００１５】
請求項２記載の情報取得装置によれば、請求項１記載の情報取得装置の奏する効果に加えて、次の効果を奏する。代表させる情報取得装置が、接続頻度がより高い方の情報取得装置とされるので、高頻度での接続（情報の取得）が要求される情報取得装置であっても、不足なく情報を取得することができるという効果がある。
【００１６】
請求項３記載の情報取得装置によれば、請求項２記載の情報取得装置の奏する効果に加えて、次の効果を奏する。他の情報取得装置にコンテンツ要約情報を取得させる場合に、本情報取得装置が該他の情報取得装置からコンテンツ要約情報を取得するタイミングを、該他の情報取得装置がコンテンツ要約情報を取得するタイミングより後のタイミングに設定されるので、コンテンツ要約情報の取り損ねを防止することができるという効果がある。
【００１７】
請求項４記載の情報取得装置によれば、請求項２又は３に記載の情報取得装置の奏する効果に加えて、次の効果を奏する。他の情報取得装置にコンテンツ要約情報を取得させる場合には、位置情報記憶手段に記憶されていた対象コンテンツ要約情報の参照先が、該他の情報取得装置に設定されるので、容易に回線負荷を軽減できるという効果がある。
【００１８】
請求項５記載の情報取得装置によれば、請求項１から４のいずれかに記載の情報取得装置の奏する効果に加えて、次の効果を奏する。本情報取得装置又は他の情報取得装置のどちらに、同一のコンテンツ要約情報を取得させるかを設定できるので、回線負荷を確実に軽減することができるという効果がある。
【発明を実施するための最良の形態】
【００１９】
以下、本発明の好ましい一実施形態について、添付図面を参照して説明する。図１は、本発明における通信システムの一実施形態である多機能機システム２を示す概略である。多機能機システム２は、複数の多機能機１０と、これらの複数の多機能機１０を接続するＬＡＮ回線４とを含んで構成される。
【００２０】
なお、図１では、３台の多機能機１０（１０Ａ，１０Ｂ，１０Ｃにより区別される）を含んで構成される多機能機システム２を例示したが、多機能機システム２に含まれる多機能機１０の数は複数であれば適宜変更することができる。
【００２１】
図１に示すように、多機能機システム２のＬＡＮ回線４は、ルータ６を介してＷＡＮ回線８に接続されている。ＷＡＮ回線８には、複数のコンテンツ提供サーバ９０，９１が接続されている。なお、図１では、２つのコンテンツ提供サーバ９０，９１がＷＡＮ回線８に接続されるのみであるが、コンテンツ提供サーバの数は適宜変更することができる。
【００２２】
本実施形態では、コンテンツ提供サーバ９０が１つのサイトを公開しており、コンテンツ提供サーバ９１が１つのサイトを公開している。各サイトは、複数のコンテンツを含んでいる。また、各コンテンツ提供サーバ９０，９１は、自身のサイトが含んでいる複数のコンテンツの要約情報であるフィード情報（ＲＳＳ形式のフィード情報）を記憶している。これらの情報の具体的な内容については、後で詳しく説明する。
【００２３】
図２は、多機能機１０の構成を示すブロック図である。詳細は後述するが、本実施形態の多機能機１０は、ＦＡＸ受信のために常時電源が入っている。また、所定の更新時刻毎に、予め登録されたＵＲＬ（コンテンツＵＲＬ）にアクセスし、コンテンツ提供サーバ９０，９１からフィード情報を取得することができるように構成されている。
【００２４】
また、多機能機システム２を構成する各多機能機１０（１０Ａ，１０Ｂ，１０Ｃ）は、フィード情報の参照頻度（以下、参照頻度を「更新頻度」と称する）に応じて、自身がフィード情報を取得して他の多機能機へ取得したフィード情報を二次配布するか、他の多機能機にフィード情報を取得させ、該多機能機を介してフィード情報を取得するかを設定できるように構成されている。なお、以下では、多機能機システム２に含まれる多機能機１０の代表として多機能機１０Ａの構成について説明するが、他の多機能機１０Ｂ，１０Ｃも同様に構成される。
【００２５】
多機能機１０Ａは、制御部１２と、表示パネル５０と、キーパッド５２と、印刷部５４と、スキャン部５６と、ＦＡＸ部５８と、ネットワークインターフェイス６０と、ＰＳＴＮインターフェイス６２とを有する。制御部１２は、ＣＰＵ１４と、ＲＯＭ１６と、ＲＡＭ１８と、ＮＶＲＡＭ２０とを有する。
【００２６】
ＣＰＵ１４は、ＲＯＭ１６に記憶されている各プログラム（プログラム１６ａ〜１６ｅ）に従って様々な処理を実行する。ＲＯＭ１６は、基本機能プログラム１６ａと、フィード情報解析プログラム１６ｂと、フィード情報表示プログラム１６ｃと、ＷＡＮ接続プログラム１６ｄと、ブラウザプログラム１６ｅと、ＵＲＬ登録プログラム１６ｆとを記憶している。
【００２７】
基本機能プログラム１６ａは、多機能機１０Ａの基本的な動作を制御するためのプログラムである。基本機能プログラム１６ａは、例えば、表示パネル５０に表示される表示データを生成するためのプログラムを含んでいる。また、基本機能プログラム１６ａは、例えば、印刷部５４、スキャン部５６、ＦＡＸ部５８等を制御するためのプログラムを含んでいる。
【００２８】
ＷＡＮ接続プログラム１６ｄは、ＷＡＮ回線８に接続するためのプログラムである。フィード情報解析プログラム１６ｂは、コンテンツ提供サーバ９０，９１から取得されるフィード情報を解析し、表示パネル５０で表示するための情報（以下、「表示情報」と称する）を作成するためのプログラムである。フィード情報表示プログラム１６ｃは、表示情報を表示するためのプログラムである。ブラウザプログラム１６ｅは、Ｗｅｂページを閲覧するためのプログラムである。
【００２９】
ＵＲＬ登録プログラム１６ｆは、各コンテンツ提供サーバ９０，９１が有するフィード情報のＵＲＬを登録するためのプログラムである。詳細は後述するが、このＵＲＬ登録プログラム１６ｆにより実行される処理により、フィード情報の更新頻度に応じて、多機能機１０Ａがフィード情報を取得して他の多機能機（多機能機１０Ｂ又は多機能機１０Ｃ）へ取得したフィード情報を二次配布するか、多機能機１０Ｂ又は多機能機１０Ｃにフィード情報を取得させ、多機能機１０Ａは多機能機１０Ｂ又は多機能機１０Ｃを介してフィード情報を取得するかを設定することができる。
【００３０】
ＲＡＭ１８は、基本機能ワーク領域１８ａと、フィード情報解析ワーク領域１８ｂと、表示情報記憶領域１８ｃと、取得リストメモリ１８ｄと、選択メモリ１８ｅとを有する。基本機能ワーク領域１８ａは、基本機能プログラム１６ａに従って処理が実行される過程で生成される各種データを記憶するための記憶領域である。
【００３１】
フィード情報解析ワーク領域１８ｂは、フィード情報解析プログラム１６ｂに従って処理が実行される過程で作成される各種データを記憶するための記憶領域である。表示情報記憶領域１８ｃは、フィード情報解析プログラム１６ｃに従って作成される表示情報を記憶するための記憶領域である。
【００３２】
取得リストメモリ１８ｄは、他の多機能機１０のＵＲＬ記憶領域１８ｂに記憶されるフィード情報のＵＲＬ（以下、「フィード情報ＵＲＬ」と称する）のリストを取得した場合に、提供元の多機能機と、該リストの情報ＩＤとを対応付けて記憶するためのメモリである。選択メモリ１８ｅは、取得リストメモリ１８ｄに記憶されちるリストの中から、ユーザによって選択されたフィード情報ＵＲＬを記憶するためのメモリである。
【００３３】
ＮＶＲＡＭ２０は、基本機能パラメータ記憶領域２０ａと、ＵＲＬ記憶領域２０ｂと、ＲＳＳ設定情報記憶領域２０ｃとを有する。基本機能パラメータ記憶領域２０ａは、ＣＰＵ１４が基本機能プログラム１６ａに従って処理を実行する際に利用される各種パラメータ（例えば印刷設定、スキャン設定等）を記憶するための記憶領域である。
【００３４】
ＵＲＬ記憶領域１８ｂは、各コンテンツ提供サーバ９０，９１が有するフィード情報ＵＲＬを記憶するための記憶領域である。ここで、各コンテンツ提供サーバ９０，９１からのコンテンツ提供サービスを受ける場合には、ユーザは、コンテンツ提供サービスを受けるための登録を予め行う。
【００３５】
詳細は後述するが、本実施形態の多機能機１０Ａは、本体にてフィード情報ＵＲＬを登録できるだけでなく、多機能機システム２に含まれる他の多機能機（多機能機１０Ｂ，１０Ｃ）に既に登録されているフィード情報ＵＲＬを登録することもできるように構成されている。また、他の多機能機２を介してコンテンツ提供サーバ９０，９１からフィード情報を取得できるよう設定することもできるようにも構成されている。
【００３６】
ＲＳＳ設定情報記憶領域２０ｃは、コンテンツ提供サーバ９０，９１（フィード情報ＵＲＬ１０２（図３（ａ）参照））を参照するタイミング（以下、「参照タイミング」と称する）を記憶するための記憶領域である。このＲＳＳ設定情報記憶領域２０ｃに記憶される参照タイミングは、ユーザの必要に応じて適宜変更することができる。
【００３７】
なお、本実施形態の多機能機１０Ａは、ＲＳＳ設定情報記憶領域２０ｃに記憶される参照タイミングとは別に、ＵＲＬ記憶領域１８ｂに記憶されるフィード情報ＵＲＬ毎に専用の参照タイミングを設定することもできるように構成されている。１のフィード情報ＵＲＬに対し専用の参照タイミングを設定する場合には、ＵＲＬ記憶領域１８ｂにおいて１のフィード情報ＵＲＬに対応付けて参照タイミングが記憶される。ＵＲＬ記憶領域１８ｂにおいて参照タイミングが対応付けられていないフィード情報ＵＲＬに対する参照タイミングは、ＲＳＳ設定情報記憶領域２０ｃに記憶される参照タイミングとされる。
【００３８】
表示パネル５０は、様々な情報を表示することができる表示装置であると共に、タッチパネルとしても機能する。キーパッド５２は、複数のキーによって構成される。ユーザは、キーパッド５２を操作することによって様々な指示や情報を多機能機１０に入力することができる。
【００３９】
印刷部５４は、インクジェットタイプ、レーザタイプ等の印刷機構を有する。スキャン部５６は、ＣＣＤ、ＣＩＳ等の読取機構を有する。ＦＡＸ部５８は、ＦＡＸ通信を実行するための各種動作を実行する。ネットワークインターフェイス６０は、ＬＡＮ回線４に接続されている。多機能機１０Ａは、多機能機１０Ｂ及び多機能機１０Ｃと通信可能であるとともに、ＷＡＮ回線８にアクセス可能である。
【００４０】
ＰＳＴＮインターフェイス６２は、図示省略しているＰＳＴＮ（Ｐｕｂｌｉｃ  Ｓｗｉｔｃｈｅｄ  Ｔｅｌｅｐｈｏｎｅ  Ｎｅｔｗｏｒｋ）に接続されている。ＰＳＴＮは、ＦＡＸ通信や電話通信を行なう際に利用される。
【００４１】
次に、図３（ａ）を参照して、ＮＶＲＡＭ２０のＵＲＬ記憶領域２０ｂ（図２参照）の記憶内容について説明する。図３（ａ）は、ＵＲＬ記憶領域２０ｂの記憶内容の一例を示す模式図である。
【００４２】
ＵＲＬ記憶領域２０ｂは、１のフィード情報毎に、フィード情報を配信するサイトのタイトル１０１と、フィード情報ＵＲＬ１０２と、二次配布先１０３と、方法１０４と、参照タイミング１０５とを対応付けて記憶する領域である。ＵＲＬ記憶領域２０ｂ内において、各フィード情報は、符号「ｉ」により表される識別番号１００と対応付けられている。図３（ａ）に示す例では、ｎ個のフィード情報が記憶されている。
【００４３】
図３（ａ）に示すように、本実施形態の多機能機１０Ａは、フィード情報ＵＲＬ１０２として、コンテンツ提供サーバ９０，９１に位置するサイトのＵＲＬだけでなく、ＬＡＮ回線４に接続される他の多機能機１０Ｂや多機能機１０ＣのＵＲＬも記憶される。
【００４４】
詳細は後述するが、フィード情報ＵＲＬ１０２として、ＬＡＮ回線４に接続される他の多機能機（多機能機１０Ｂ又は多機能機１０Ｃ）のＵＲＬが格納されている場合には、多機能機１０Ａ自体はサイトタイトル１０１のフィード情報を提供元のコンテンツ提供サーバ（９０又は９１）から直接取得せず、多機能機１０Ｂ又は多機能機１０Ｃが提供元のコンテンツ提供サーバから取得したサイトタイトル１０１のフィード情報を、多機能機１０Ｂ又は多機能機１０Ｃから間接的に取得する。
【００４５】
図３（ａ）に示す例によれば、多機能機１０Ａは、サイトタイトル１０１が「ＣＣＣ」であるフィード情報ＵＲＬ１０２は、多機能機１０ＢのＵＲＬである「ｍｆｃ：Ｎｅｉｇｈｂｏｒｓ１０Ｂ／ｌｉｓｔＸＸＸ」である。よって、多機能機１０Ａは、サイトタイトル１０１が「ＣＣＣ」であるサイトのフィード情報を、提供元のコンテンツ提供サーバ（９０又は９１）から直接取得せず、多機能機１０Ｂを介して間接的に取得する。
【００４６】
二次配布先１０３は、多機能機１０Ａがコンテンツ提供サーバ９０，９１から取得したフィード情報を二次配布する先のＵＲＬである。図３（ａ）に示す例では、「ｍｆｃ：Ｎｅｉｇｈｂｏｒｓ１０Ｃ」が二次配布先のＵＲＬである。なお、この二次配布先は、１の多機能機に限らず、複数の多機能機に対して設定されていてもよい。
【００４７】
図３（ａ）に示す例によれば、多機能機１０Ａは、サイトタイトル１０１が「ＡＡＡ」であるサイトのフィード情報を取得した場合には、取得したフィード情報を、二次配布先１０３である多機能機１０Ｃ（ｍｆｃ：Ｎｅｉｇｈｂｏｒｓ１０Ｃ）へ二次配布する。
【００４８】
方法１０４は、フィード情報を二次配布する場合の配布方法、又は、フィード情報を他の多機能機から取得する場合の取得方法である。配布方法及び取得方法はいずれも、参照タイミング（参照タイミング１０５又は参照タイミング１１１）毎に行うか、シグナルを利用して行うかのいずれかであり、前者の場合には、方法１０４は「ｎｏｎｅ」であり、後者の場合には、方法１０４は「ｓｉｇｎａｌ」である。なお、二次配布先が複数ある場合には、方法１０４は個々に設定される。
【００４９】
図３（ａ）に示す例では、サイトタイトル１０１が「ＡＡＡ」であるサイトのフィード情報を多機能機１０Ｃ（ｍｆｃ：Ｎｅｉｇｈｂｏｒｓ１０Ｃ）へ二次配布する場合には、まず、シグナルを多機能機１０Ｃへ送出し、シグナルを受信した多機能機１０Ｃに、多機能機１０Ａへアクセスしてフィード情報を取得させることにより、多機能機１０Ｃへフィード情報を二次配布する。
【００５０】
なお、二次配布先１０３として他の多機能機が設定されている場合に、方法１０４が「ｎｏｎｅ」であれば、他の多機能機が自身の参照タイミング毎に多機能機１０Ａへアクセスさせフィード情報を取得させることにより、その多機能機へフィード情報を二次配布する。
【００５１】
また、図３（ａ）に示す例では、サイトタイトル１０１が「ＣＣＣ」であるサイトのフィード情報を、多機能機１０Ｂ（ｍｆｃ：Ｎｅｉｇｈｂｏｒｓ１０Ｂ）を介して取得する場合には、自身の参照タイミング（ここでは参照タイミング１０５）毎に多機能機１０Ｂへアクセスしてフィード情報を取得する。
【００５２】
なお、フィード情報ＵＲＬ１０２が他の多機能機のＵＲＬである場合に、方法１０４が「ｓｉｇｎａｌ」であれば、他の多機能機からシグナルを受信した場合に、その多機能機へアクセスしてフィード情報を取得する。
【００５３】
ここで、方法１０４は、コンテンツ提供サーバ９０，９１からフィード情報を直接ではなく間接的に取得する多機能機の設定に応じて適宜変更される。よって、多機能機１０Ａが、フィード情報の取得方法を変更した場合には、その設定変更は他の多機能機へ通知され、多機能機１０Ａへフィード情報を二次配布する多機能機における対応する方法１０４が変更される。一方、多機能機１０Ａが二次配布先としている多機能機がフィード情報の取得方法を変更した場合には、その設定変更は多機能機１０Ａへ通知され、その多機能機が二次配布先として設定されていれば、対応する方法１０４が変更される。
【００５４】
参照タイミング１０５は、１のフィード情報ＵＲＬ１０２に対する専用の参照タイミングである。参照タイミング１０５が対応付けられているフィード情報ＵＲＬ１０２は、ＲＳＳ設定情報記憶領域２０ｃに格納される参照タイミング１１１とは無関係に、参照タイミング１０５のタイミングでフィード情報ＵＲＬ１０２を参照してフィード情報を取得する。図３（ａ）に示す例によれば、多機能機１０Ａは、サイトタイトル１０１が「ＣＣＣ」であるフィード情報ＵＲＬ１０２（即ち、多機能機１０Ｂ）を、「１時間毎／３５分（具体的には、毎時３５分）」の参照タイミング１０５で参照して、フィード情報を取得する。なお、多機能機システム２に含まれる多機能機の中には、参照タイミング１０５を設定できない多機能機があってもよい。
【００５５】
次に、図３（ｂ）を参照して、ＮＶＲＡＭ２０のＲＳＳ設定情報記憶領域２０ｃ（図２参照）の記憶内容について説明する。図３（ｂ）は、ＲＳＳ設定情報記憶領域２０ｃの記憶内容の一例を示す模式図である。
【００５６】
ＲＳＳ設定情報記憶領域２０ｂは、フィード情報ＵＲＬ１０２を参照するタイミングである参照タイミング１１１を記憶する領域である。上述したＵＲＬ記憶領域２０ｂ（図３（ａ）参照）に記憶されるフィード情報ＵＲＬ１０２のうち、参照タイミング１０５が対応付けられているフィード情報ＵＲＬ以外のフィード情報ＵＲＬは、この参照タイミング１１１で参照される。
【００５７】
図３（ｂ）に示す例によれば、多機能機１０Ａは、参照タイミング１０５が対応付けられていないフィード情報ＵＲＬ１０２を、「１日毎／ＡＭ０：００（具体的には、毎日ＡＭ０：００）」の参照タイミング１１１で参照して、フィード情報を取得する。
【００５８】
次に、図４を参照して、ＲＡＭ１８の表示情報記憶領域１８ｃ（図２参照）の記憶内容について説明する。図４は、表示情報記憶領域１８ｃの記憶内容の一例を示す。表示情報記憶領域１８ｃは、ＵＲＬ記憶領域２０ｂに記憶されているＵＲＬ毎に表示情報１１２を記憶することが可能である。
【００５９】
具体的には、表示情報記憶領域１８ｃは、ＵＲＬ記憶領域２０ｂに記憶されているサイト毎に表示情報１１２を記憶することが可能である。上述したように、ＵＲＬ記憶領域２０ｂにはｎ個（ｎは１以上の整数）のＵＲＬ１０２が記憶されている（図３参照）。従って、表示情報記憶領域１８ｃにもｎ個の表示情報１１２が記憶されている。各表示情報１１２には、識別番号１１０が付与されている。本実施形態では、識別番号１１０もまた、識別番号１００（図３参照）と同様に、符号「ｉ」で表現する。
【００６０】
個々の表示情報１１２のデータ構成について説明する。表示情報１１２は、サイト情報１２０を含んでいる。サイト情報１２０は、サイトタイトル文字列１２２とフィード更新日時情報１２４を含んでいる。サイトタイトル文字列１２２は、サイトのタイトルの文字列である。サイトのタイトルのことを「サイトの名称」と言い換えることもできる。フィード更新日時情報１２４は、コンテンツ提供サーバにおいてフィード情報が更新された日時（最新の更新日時）に関する情報である。
【００６１】
表示情報１１２は、更新コンテンツ情報１３２を含んでいる。更新コンテンツ情報１３２の数は、サイトが有するコンテンツの数に等しい。例えば、図４では、「ｉ＝０」に対応する表示情報１１２は、ｍ個（ｍは１以上の整数）の更新コンテンツ情報１３２を有する。これは、「ｉ＝０」に対応するサイトがｍ個のコンテンツを有することを意味する。例えば、所定のサイトにおいて天気予報に関するコンテンツとスポーツに関するコンテンツとが存在する場合、そのサイトに対応する表示情報１１２は、２個の更新コンテンツ情報１３２を有することになる。各更新コンテンツ情報１３２には、識別番号１３０が付与されている。本実施形態では、識別番号１３０を符号「ｊ」で表現する。
【００６２】
各更新コンテンツ情報１３２は、コンテンツタイトル文字列１４０とコンテンツ更新日時情報１４２とコンテンツ要約文字列１４４とコンテンツＵＲＬ１４６を含んでいる。上記の例の場合、天気予報に関するコンテンツに対応する更新コンテンツ情報１３２が情報１４０〜１４６を含んでおり、スポーツに関するコンテンツに対応する更新コンテンツ情報１３２も情報１４０〜１４６を含んでいる。
【００６３】
コンテンツタイトル文字列１４０は、コンテンツのタイトルの文字列である。コンテンツのタイトルのことを「コンテンツの名称」と言い換えることもできる。コンテンツ更新日時情報１４２は、コンテンツ提供サーバにおいてコンテンツが更新された日時（最新の更新日時）に関する情報である。コンテンツ要約文字列１４４は、コンテンツが有する文字列が要約化されたものである。換言すると、コンテンツ要約文字列１４４は、コンテンツのタイトルより多い文字列であり、コンテンツの全体の文字列より少ない文字列であり、コンテンツの内容が反映された文字列である。コンテンツＵＲＬ１４６は、コンテンツのＵＲＬである。
【００６４】
次に、図５を参照して、多機能機１０がコンテンツ提供サーバ９０，９１からフィード情報を取得した場合に、表示パネル５０に表示される画面について説明する。図５は、表示パネル５０の表示内容の一例を示す模式図である。
【００６５】
図５（ａ）は、待機状態における表示パネル５０の画面内容の一例を示す模式図である。待機状態における表示パネル５０には、機能（例えば、ＦＡＸ機能や、スキャン機能や、コピー機能など）を選択するためのボタン１６０が表示される。また、待機状態おける表示パネル５０には、表示情報記憶領域１８ｃに記憶されているコンテンツタイトル文字列１６２がテロップ表示される。
【００６６】
コンテンツタイトル文字列１６２がユーザによりタッチされると、そのコンテンツ文字列１６２が表示されているサイトの全てのコンテンツについて、各コンテンツの、コンテンツ更新日時情報（コンテンツ更新日時情報１４２）、及び、コンテンツタイトル文字列（コンテンツタイトル文字列１４０）と、該サイトのサイトタイトル文字列とを含むリスト１７０が表示パネル５０に表示される。
【００６７】
図５（ｂ）は、表示パネル５０にリスト１７０が表示されている画面の一例を示す模式図である。図５（ｂ）に示す例によれば、スポーツに関するコンテンツについて、コンテンツ更新日時情報「１４：３２」とコンテンツタイトル文字列「Ｓｐｏｒｔ・・・」とが表示されている。また、表示パネル５０にリスト１７０が表示されている画面には、リスト表示を終了させるためのボタン１７４が表示される。
【００６８】
表示パネル５０にリスト１７０が表示されている状態において、１のコンテンツタイトル文字列がユーザによりタッチ（選択）すると、タッチされたコンテンツに関する情報が表示パネル５０に表示される。
【００６９】
図５（ｃ）は、リスト１７０の中に含まれるコンテンツの中から１のコンテンツが選択されたことによって表示パネル５０に表示される画面内容の一例を示す模式図である。図５（ｂ）に示す例によれば、表示パネル５０には、サイトタイトル文字列１７２と、コンテンツ更新日時情報１８０と、コンテンツタイトル文字列１８２と、コンテンツ要約文字列１８４と、Ｖｉｅｗボタン１８６とを含む画面が表示される。図５（ｃ）に示す画面において、Ｖｉｅｗボタン１８６がユーザによって操作されると、ブラウザプログラム１６ｅが起動し、コンテンツＵＲＬ１４６におけるコンテンツを表示する。
【００７０】
次に、図６を参照して、多機能機１０ＡのＣＰＵ１４がフィード情報を取得する処理について説明する。詳細は後述するが、本実施形態の多機能機１０Ａは、（１）所定の参照タイミング（更新タイミング）毎に、ＮＶＲＡＭ２０のＵＲＬ記憶領域２０ｂに記憶されているフィード情報ＵＲＬ１０２にアクセス（接続）するか、（２）他の多機能機からシグナルを受け取った場合に、シグナルの送出元の多機能機にアクセス（接続）するかのいずれかの取得方法により、フィード情報を取得するように構成されている。
【００７１】
図６（ａ）は、多機能機１０ＡのＣＰＵ１４により実行される第１フィード情報取得処理を示すフローチャートである。この第１フィード情報取得処理は、フィード情報ＵＲＬ１０２にアクセス（接続）してフィード情報を取得する場合の処理であり、独立したタスクとして動作し、フィード情報解析プログラム１６ｂに従って多機能機１０の起動時から実行される。なお、この第１フィード情報取得処理は、独立したタスクとして動作する。
【００７２】
第１フィード情報解析処理が起動されると、ユーザによって設定された、あるいは、プログラムによって決められた参照タイミング（更新時間）に達する毎に、ＮＶＲＡＭ２０のＵＲＬ記憶領域２０ｂに記憶されているフィード情報ＵＲＬ１０２にアクセス（接続）することにより、フィード情報を取得する（Ｓ１１）。
【００７３】
なお、上述した通り、フィード情報ＵＲＬ１０２には、コンテンツ提供サーバ９０，９１のＵＲＬだけでなく、多機能機システム２（ＬＡＮ回線４）内の他の多機能機１０Ｂ，１０ＣのＵＲＬが含まれている。よって、多機能機１０Ａは、ＵＲＬ記憶領域２０ｂの内容によっては、コンテンツ提供サーバ９０，９１だけでなく、他の多機能機１０Ｂ，１０Ｃにもアクセスし、多機能機１０Ｂ，１０Ｃからフィード情報を取得する。ただし、多機能機１０Ａが、多機能機１０Ｂ，１０Ｃからシグナルを受信した場合に、その多機能機へアクセスしてフィード情報を取得するする設定（即ち、方法１０４が「ｓｉａｎａｌ」）であれば、Ｓ１１において他の多機能機へはアクセスしない。
【００７４】
次いで、取得されたフィード情報を解析することによって、表示情報１１２（図４参照）を作成し、作成した表示情報１１２を表示情報記憶領域１８ｃに記憶させることにより、表示情報記憶領域１８ｃの記憶内容の更新を行う（Ｓ１２）。
【００７５】
Ｓ１２の処理後、ＵＲＬ記憶領域１０２に二次配布先１０３が記憶（登録）されているかを確認し（Ｓ１３）、二次配布先１０３があれば（Ｓ１３：Ｙｅｓ）、二次配布先１０３へ、どのフィード情報かを特定し得る情報（例えば、サイトタイトル１０１）を含むシグナルを送出し（Ｓ１４）、Ｓ１１へ戻る。なお、Ｓ１４において、二次配布先１０３が複数あれば、全ての二次配布先１０３へシグナルを送出する。一方、ＵＲＬ記憶領域１０２に二次配布先１０３が記憶されていなければ（Ｓ１３：Ｎｏ）、Ｓ１１へ戻る。
【００７６】
図６（ｂ）は、多機能機１０ＡのＣＰＵ１４により実行される第２フィード情報取得処理を示すフローチャートである。この第２フィード情報取得処理は、他の多機能機からシグナルを受け取った場合に、シグナルの送出元の多機能機にアクセス（接続）してフィード情報を取得する場合の処理であり、フィード情報解析プログラム１６ｂに従う処理の１つである。
【００７７】
この第２フィード情報取得処理は、シグナルの受信に伴い起動する。受信したシグナルには、どのフィード情報に対するシグナルであるかの情報が含まれているので、その情報に基づきＵＲＬ記憶領域２０ｂに記憶される内容からフィード情報ＵＲＬ１０２を特定し、そのフィード情報ＵＲＬ１０２にアクセスして、フィード情報を取得する（Ｓ２１）。
【００７８】
次いで、上述した第１フィード情報取得処理（図３（ａ）参照）におけるＳ１２の処理と同様に、表示情報記憶領域１８ｃの記憶内容の更新を行い（Ｓ２２）、第２フィード情報取得処理を終了する。
【００７９】
次に、図７を参照して、多機能機１０ＡのＣＰＵ１４がフィード情報を表示するための表示処理（多機能機表示処理）について説明する。図７は、多機能機１０ＡのＣＰＵ１４により実行される多機能機表示処理を示すフローチャートである。この多機能機表示処理は、独立したタスクとして動作し、フィード情報表示プログラム１６ｃ（図２参照）に従って多機能機１０Ａの起動時から実行される。
【００８０】
図７に示す多機能機表示処理の説明の前に、多機能機１０Ａが取り得る状態について説明する。なお、多機能機１０Ｂ，１０Ｃも同様である。多機能機１０Ａは、待機状態、機能実行状態等の複数の状態を有する。待機状態では、表示パネル５０に機能を選択するための情報が表示される（表示パネル５０が点灯している）。
【００８１】
待機状態における表示パネル５０には、機能を選択するためのボタン１６０が表示される（図５（ａ）参照）。ユーザは、ボタン１６０を操作することによって機能実行指示を多機能機１０Ａに入力することができる。ボタン１６０が操作されると、機能実行状態に移行する。機能実行状態では、表示パネル５０に実行中の機能に関する情報（例えばコピー枚数等）が表示される。多機能機１０Ａにおいて実行されている機能が終了すると、待機状態に移行する。
【００８２】
多機能機表示処理が起動されると、ＮＶＲＡＭ２０のＵＲＬ記憶領域２０ｂに記憶されているＵＲＬ毎（サイト毎）に対応して、ＲＡＭ１８の表示情報記憶領域１８ｃに記憶されているコンテンツタイトル文字列１６２を、表示パネル５０における待機状態の画面に１件ずつ（１コンテンツずつ）順番にテロップ状（例えば、右から左にスクロールしていく状態）に表示する（Ｓ３１）。このときの画面は、例えば、図５（ａ）に示す画面となる。なお、機能実行状態では、コンテンツタイトル文字列１６２の表示は行わない。
【００８３】
コンテンツタイトル文字列１６２がテロップ表示されている状態（図５（ａ）参照）において、ユーザによりコンテンツタイトル文字列がタッチされると、リスト表示要求イベントが発生し、その場合には、ＲＡＭ１８の表示情報記憶領域１８ｃから、コンテンツ文字列１６２が表示されているサイト（ＲＳＳサイト）のサイト情報と、サイトに対応して記憶されている更新コンテンツ情報１３２を取得し、サイトタイトル文字列１２２と、各コンテンツタイトル文字列１４０と、各コンテンツ更新日時情報１４２とを含むリストデータを作成し、そのリストデータに対応するリスト１７０を表示パネル５０に一覧表示する（Ｓ３２）。このときの画面は、例えば、図５（ｂ）に示す画面となる。
【００８４】
リスト１７０は、複数のコンテンツ（例えばｍ個のコンテンツ）のそれぞれについて、当該コンテンツのコンテンツ更新日時情報と当該コンテンツのコンテンツタイトル文字列とを含んでいる。
【００８５】
表示パネル５０にリスト１７０が表示されている状態（図５（ｂ）参照）において、ユーザにより、１のコンテンツ（コンテンツタイトル文字列）が選択（タッチ）された場合、コンテンツ選択操作に関するイベントが発生し、その場合には、ＲＡＭ１８の表示情報記憶領域１８ｃから、選択されたコンテンツに対するサイトタイトル文字列１２２と、当該コンテンツのコンテンツタイトル文字列１４０と、当該コンテンツのコンテンツ更新日時情報１４２と、当該コンテンツのコンテンツ要約文字列１４４とを含む表示データを作成し、その表示データに基づく表示を表示パネル５０に表示する（Ｓ３３）。この結果、サイトタイトル文字列１７２と、コンテンツ更新日時情報１８０と、コンテンツタイトル文字列１８２と、コンテンツ要約文字列１８４と、Ｖｉｅｗボタン１８６とを含む画面が表示パネル５０に表示される（図５（ｃ）参照）。
【００８６】
Ｖｉｅｗボタン１８６を含む画面が表示パネル５０に表示されている状態（図５（ｃ）参照）において、ユーザによってＶｉｅｗボタン１８６が操作されると、ＷＡＮ接続プログラム１６ｄに従ってコンテンツＵＲＬ１４６にアクセスし、ブラウザプログラム１６ｅを起動してコンテンツを表示する（Ｓ３４）。
【００８７】
次に、図８を参照して、多機能機１０Ａにおいてフィード情報ＵＲＬ１０２をＵＲＬ記憶領域２０ｂに登録する方法について説明する。図８は、多機能機１０ＡのＣＰＵ１４により実行されるＵＲＬ登録プログラム１６ｆに従うフィード情報ＵＲＬ登録処理を示すフローチャートである。なお、多機能機１０Ｂ及び多機能機１０Ｃでも、各多機能機が有しているＵＲＬ登録プログラム１６ｆに従って同様の処理が実行される。
【００８８】
このフィード情報ＵＲＬ登録処理は、ユーザがフィード情報ＵＲＬ１０２の登録を所望し、所定の操作を行った場合に起動する処理であり、起動すると、まず、多機能システム２（即ち、ＬＡＮ回線４内）に存在する他の多機能機（多機能機１０Ｂ又は多機能機１０Ｃ）のＵＲＬ記憶領域２０ｂの内容を検索する（Ｓ５１）。
【００８９】
この検索に基づいて、他の多機能機のＵＲＬ記憶領域２０ｂに記憶されるフィード情報ＵＲＬのリスト（ＵＲＬ記憶領域２０ｂに記憶される内容（図３（ａ）参照））を取得する（Ｓ５２）。次いで、取得したフィード情報ＵＲＬリストの情報ＩＤと、提供元の多機能機とを対応付けて、取得リストメモリ１８ｄに記憶する（Ｓ５３）。
【００９０】
Ｓ５３の処理後、多機能機１０Ａにおける登録モードを確認する（Ｓ５４）。この登録モードには、取得したフィード情報ＵＲＬリストに含まれる全てのフィード情報ＵＲＬリストを自動的に登録する自動モードと、取得したフィード情報ＵＲＬリストの中から登録を所望するフィード情報ＵＲＬをユーザが選択できるユーザ選択モードとがあり、いずれの登録モードとするかは、ユーザが所定の操作を行うことによって適宜選択することができる。
【００９１】
Ｓ５４の処理により確認した結果、登録モードがユーザ選択モードであれば（Ｓ５４：ユーザ選択）、取得したフィード情報ＵＲＬリストの内容を表示パネル５０にリスト表示する（Ｓ５５）。フィード情報ＵＲＬリストの内容を表示パネル５０にリスト表示したことにより、ユーザは登録を所望するフィード情報ＵＲＬを適宜タッチすることにより選択することができる。Ｓ５５の処理後、ユーザによって選択された１又は複数のフィード情報ＵＲＬを選択メモリ１８ｅに記憶し（Ｓ５６）、Ｓ５７の処理へ移行する。
【００９２】
一方、Ｓ５４の処理により確認した結果、登録モードが自動モードであれば（Ｓ５４：自動）、フィード情報ＵＲＬリストに含まれるフィード情報ＵＲＬの全てを選択メモリ４８ｅに記憶し（Ｓ６４）、Ｓ５７の処理へ移行する。
【００９３】
Ｓ５７では、選択メモリ１８ｅに記憶されているフィード情報ＵＲＬに対し、後述するＳ５８〜Ｓ６３の処理が実行されかを確認する（Ｓ５７）。このとき、未だ全て終了していなければ（Ｓ５７：Ｎｏ）、選択メモリ１８ｅから１のフィード情報ＵＲＬを選択し（Ｓ５８）、選択されたフィード情報ＵＲＬが、自身（多機能機１０Ａ）のＵＲＬ記憶領域２０ｂに記憶されているフィード情報ＵＲＬ１０２かを確認する（Ｓ５９）。
【００９４】
Ｓ５９の処理により確認した結果、選択されたフィード情報ＵＲＬが、自身のＵＲＬ記憶領域２０ｂに記憶されている場合には、（Ｓ５９：Ｙｅｓ）、選択されたフィード情報ＵＲＬの登録は不要であるので、Ｓ５７の処理へ戻る。
【００９５】
一方、Ｓ５９の処理により確認した結果、選択されたフィード情報ＵＲＬが、自身（多機能機１０Ａ）のＵＲＬ記憶領域２０ｂに記憶されていない場合には（Ｓ５９：Ｎｏ）、選択中のフィード情報ＵＲＬに対応する情報ＩＤに基づき、提供元の多機能機（多機能機１０Ｂ又は多機能機１０Ｃ）のＲＳＳ設定情報記憶領域２０ｃに記憶されている参照タイミング１１１または１０５を取得する（Ｓ６０）。
【００９６】
Ｓ６０の処理後、取得した参照タイミング１１１または１０５（即ち、提供元の多機能機にて設定されている参照タイミング１１１または１０５）と、自身のＲＳＳ設定情報記憶領域２０ｃに記憶されている参照タイミング１１１とを比較し、フィード情報の更新頻度（参照頻度）は自身の方が高いかを確認する（Ｓ６１）。
【００９７】
Ｓ６１の処理により確認した結果、自身のフィード情報の更新頻度の方が、提供元の多機能機に比べて高い場合には（Ｓ６１：Ｙｅｓ）、第１登録設定処理を実行して（Ｓ６２）、Ｓ５７の処理へ戻る。なお、第１登録設定処理（Ｓ６２）の詳細については、図９（ａ）を参照して説明する。
【００９８】
一方、Ｓ６１の処理により確認した結果、自身のフィード情報の更新頻度の方が、提供元の多機能機に比べて低い、又は、更新頻度が同じ場合には（Ｓ６１：Ｎｏ）、第２登録設定処理を実行して（Ｓ６３）、Ｓ５７の処理へ戻る。なお、第２登録設定処理（Ｓ６３）の詳細については、図１０（ａ）を参照して説明する。
【００９９】
ここで、Ｓ５７の処理により確認した結果、選択メモリ１８ｅに記憶されている全てのフィード情報ＵＲＬに対して処理が実行されていれば（Ｓ５７：Ｙｅｓ）、フィード情報ＵＲＬ登録処理を終了する。
【０１００】
ここで、図９（ａ）を参照して、自身の更新頻度の方が高い場合に実行される上述の第１登録設定処理（Ｓ６２）について説明する。図９（ａ）は、フィード情報ＵＲＬ登録処理（図８参照）の中で実行される第１登録設定処理（Ｓ６２）を示すフローチャートである。
【０１０１】
この第１登録設定処理（Ｓ６２）では、まず、提供元の多機能機（多機能機１０Ｂ又は多機能機１０Ｃ）へ、該当するフィード情報ＵＲＬを本多機能機（多機能機１０Ａ）に変更するよう指示する変更命令を送出する（Ｓ７１）。なお、この変更命令には、本多機能機における参照タイミング１１１または１０５の情報も含まれている。この変更命令が送出されると、変更命令を受けた多機能機は、後述する第１登録変更処理（図９（ａ））を実行し、その多機能機における取得方法の設定に応じた変更完了通知を返信する。
【０１０２】
よって、Ｓ７１の処理後は、かかる変更完了通知を受信したかを確認し（Ｓ７２）、受信が確認されなければ（Ｓ７２：Ｎｏ）、受信を確認できるまで、変更通知の受信確認を続ける。そして、変更完了通知の受信が確認されたら（Ｓ７２：Ｙｅｓ）、選択中のフィード情報ＵＲＬをフィード情報ＵＲＬとして、自身（多機能機１０Ａ）のＵＲＬ記憶領域２０ｂに登録する（Ｓ７３）。このとき、対応するタイトルもＵＲＬ記憶領域２０ａにタイトル１０１として登録する。
【０１０３】
次いで、Ｓ７３の処理によりＵＲＬ記憶領域２０ｂに登録したフィード情報ＵＲＬに対応付けて、提供元（相手）の多機能機を二次配布先１０３として設定し（Ｓ７４）、信した変更完了通知に含まれる相手の多機能機の取得方法に応じて配布方法を設定し（Ｓ７５）、第１登録設定処理（Ｓ６２）を終了する。
【０１０４】
なお、Ｓ７５の処理では、相手の多機能機の取得方法が、シグナルを受信した後にフィード情報を取得するものであれば、対応する方法１０４（配布方法）を「ｓｉｇｎａｌ」に設定し、相手の多機能機の取得方法が、参照タイミング毎にアクセスして取得するものであれば、対応する方法１０４を「ｎｏｎｅ」に設定する。
【０１０５】
ここで、図９（ｂ）を参照して、登録変更命令を受信した場合に実行する第１登録変更処理について説明する。図９（ｂ）は、多機能機１０ＡのＣＰＵ１４により実行される第１登録変更処理を示すフローチャートである。この第１登録変更処理は、ＵＲＬ登録プログラム１６ｆに従う処理である。なお、多機能機１０Ｂ，多機能機１０Ｃにおいても同様の処理が実行される。
【０１０６】
この第１登録変更処理は、多機能機１０Ａが他の多機能機から変更命令を受信した場合に起動し、受信した変更命令に基づき、ＵＲＬ記憶領域２０ｂから該当するフィード情報ＵＲＬを検索し（Ｓ１７１）、該当するフィード情報ＵＲＬを変更命令の送出元の多機能機のＵＲＬに変更する（Ｓ１７２）。次いで、自身の取得方法の設定に応じて方法１０４を設定し、取得方法に応じた変更完了通知を変更命令の送出先へ送出する（Ｓ１７３）。
【０１０７】
Ｓ１７３の処理後、自身がフィード情報ＵＲＬ毎に専用の参照タイミング１０５を設定できる機種であるかを確認し（Ｓ１７４）、設定できる機種であれば（Ｓ１７４：Ｙｅｓ）、変更命令の送出元の多機能機の参照タイミングの所定期間後（例えば、５分後）を、該多機能機を参照する参照タイミング１０５として設定し（Ｓ１７５）、第１登録変更処理を終了する。
【０１０８】
このように、フィード情報の二次配布を受けることになった多機能機の参照タイミングを、二次配布する側の多機能機の参照タイミングより遅いタイミングにすることによって、フィード情報の二次配布を確実に受けることができ、フィード情報の取り損ねを防止することができる。
【０１０９】
一方、Ｓ１７４の処理により確認した結果、自身がフィード情報ＵＲＬ毎に専用の参照タイミング１０５を設定できる機種でなければ（Ｓ１７４：Ｎｏ）、Ｓ１７５の処理をスキップして、第１登録変更処理を終了する。
【０１１０】
次に、図１０（ａ）を参照して、自身の更新頻度の方が低い場合に実行される上述の第２登録設定処理（Ｓ６３）について説明する。図１０（ａ）は、フィード情報ＵＲＬ登録処理（図８参照）の中で実行される第２登録設定処理（Ｓ６３）を示すフローチャートである。
【０１１１】
この第２登録設定処理（Ｓ６３）では、まず、提供元の多機能機（多機能機１０Ｂ又は多機能機１０Ｃ）をフィード情報ＵＲＬ１０２としてＵＲＬ記憶領域２０ａに登録する（Ｓ９１）。このとき、対応するタイトルもＵＲＬ記憶領域２０ａにタイトル１０１として登録する。
【０１１２】
次いで、自身（多機能機１０Ａ）の取得方法の設定に応じて方法１０４を設定し、取得方法に応じた配布命令を提供元の多機能機へ送出する（Ｓ９２）。この配布命令は、提供元の多機能機へ、該当するフィード情報ＵＲＬを自身（多機能機１０Ａ）に二次配布する指示する命令である。
【０１１３】
Ｓ９２の処理後、自身がフィード情報ＵＲＬ毎に専用の参照タイミング１０５を設定できる機種であるかを確認する（Ｓ９４）。Ｓ９４の処理により確認した結果、設定できる機種であれば（Ｓ９４：Ｙｅｓ）、提供元の多機能機の参照タイミングの所定期間後（例えば、５分後）を、該多機能機を参照する参照タイミング１０５として設定し（Ｓ９５）、第２登録設定処理（Ｓ６３）を終了する。
【０１１４】
このように、フィード情報の二次配布を受けることになった多機能機の参照タイミングを、二次配布する側の多機能機の参照タイミングより遅いタイミングにすることによって、フィード情報の二次配布を確実に受けることができ、フィード情報の取り損ねを防止することができる。
【０１１５】
一方、Ｓ９４の処理により確認した結果、自身がフィード情報ＵＲＬ毎に専用の参照タイミング１０５を設定できる機種でなければ（Ｓ９４：Ｎｏ）、Ｓ９５の処理をスキップして、第２登録設定処理（Ｓ６３）を終了する。
【０１１６】
ここで、図１０（ｂ）を参照して、配布命令を受信した場合に実行する第２登録変更処理について説明する。図１０（ｂ）は、多機能機１０ＡのＣＰＵ１４により実行される第２登録変更処理を示すフローチャートである。この第１登録変更処理は、ＵＲＬ登録プログラム１６ｆに従う処理である。なお、多機能機１０Ｂ，多機能機１０Ｃにおいても同様の処理が実行される。
【０１１７】
この第２登録変更処理は、多機能機１０Ａが他の多機能機から配布命令を受信した場合に起動し、受信した配布命令に基づき、ＵＲＬ記憶領域２０ｂから該当するフィード情報ＵＲＬを検索し（Ｓ１９１）、該当するフィード情報ＵＲＬに対し、配布命令の送出元の多機能機を二次配布先１０３として設定する（Ｓ１９２）。
【０１１８】
Ｓ１９２の処理後、受信した配布命令に含まれる相手の多機能機の取得方法に応じて配布方法を設定し（Ｓ１９３）、第２登録設定処理（Ｓ６３）を終了する。なお、Ｓ１９３の処理では、相手の多機能機の取得方法が、シグナルを受信した後にフィード情報を取得するものであれば、対応する方法１０４（配布方法）を「ｓｉｇｎａｌ」に設定し、相手の多機能機の取得方法が、参照タイミング毎にアクセスして取得するものであれば、対応する方法１０４を「ｎｏｎｅ」に設定する。
【０１１９】
以上説明したように、本実施形態の多機能機システム２及び多機能機１０によれば、１の多機能機１０Ａがフィード情報ＵＲＬを登録する場合に、そのフィード情報ＵＲＬが既に他の多機能機１０Ｂ，１０Ｃに登録されていれば、これらの多機能機がコンテンツ提供サーバ９０，９１を参照する頻度（更新頻度）を比較する。
【０１２０】
このとき、自身（多機能機１０Ａ）の方がコンテンツ提供サーバ９０，９１を参照する頻度が高ければ、自身が代表してコンテンツ提供サーバ９０，９１にアクセスしてフィード情報を取得し、他の多機能機（多機能機１０Ｂ，１０Ｃ）へ取得したフィード情報（コンテンツ要約情報）を二次配布するよう、フィード情報ＵＲＬ１０２をＵＲＬ記憶領域２０ｂに登録する。その一方で、自身の方がコンテンツ提供サーバ９０，９１を参照する頻度が低ければ、他の多機能機がコンテンツ提供サーバ９０，９１から取得したフィード情報の二次配布を受けるよう、フィード情報ＵＲＬ１０２をＵＲＬ記憶領域２０ｂに登録する。
【０１２１】
よって、多機能機システム２に含まれる多機能機１０Ａ，１０Ｂ，１０Ｃが個々にコンテンツ提供サーバ９０，９１にアクセスしてフィード情報を取得する場合に比べ、回線負荷を軽減することができる。
【０１２２】
また、フィード情報を代表して取得する多機能機の設定は、各多機能機がＷＡＮ回線８上に位置するコンテンツ提供サーバ９０，９１への接続頻度に応じて設定することにより、フィード情報の取得（更新）に対する更新頻度が高頻度であることが要求される多機能機においても、不足なくフィード情報を取得することができる。よって、本実施形態のように、更新頻度が高い方の多機能機にコンテンツ提供サーバ９０，９１へ接続させることにより、各多機能機１０Ａ，１０Ｂ，１０Ｃは不足なくフィード情報を得ることができる。
【０１２３】
また、本実施形態の多機能システム２及び多機能機１０によれば、自身の更新頻度の方が低く、他の多機能機からフィード情報を取得する場合には、自身の参照タイミングを、他の多機能機がコンテンツ提供サーバ９０，９１を参照する参照タイミングより遅いタイミングとするので、自身がコンテンツ提供サーバ９０，９１から直接フィードを取得しない場合であっても、フィード情報の取り損ねを防止することができる。
【０１２４】
以上、実施形態に基づき本発明を説明したが、本発明は上記実施形態に何ら限定されるものではなく、本発明の趣旨を逸脱しない範囲内で種々の改良変形が可能であることは容易に推察できるものである。
【０１２５】
例えば、上記実施形態では、多機能機システム２に含まれるデバイスとして多機能機１０（１０Ａ〜１０Ｃ）を例示したが、多機能機１０と同様にフィード情報ＵＲＬへアクセスして該アクセス先からフィード情報を取得できるＲＳＳリーダ（例えば、ＰＣ）を多機能機システム２に含まれるデバイスとして使用できる。その場合には、そのＲＳＳリーダが、図３及び図４に示すメモリ構成と同様のメモリ構成を有し、図６〜図１０に示すフローチャートと同様の処理を実行可能なプログラムを有していればよい。
【０１２６】
また、上記実施形態では、多機能機１０Ａが、他の多機能機（多機能機１０Ｂ，１０Ｃ）へフィード情報の二次配布を行う場合に、先ず、シグナルを送出し、他の多機能機に多機能機１０Ａへアクセスさせてフィード情報を取得させる構成とした。
【０１２７】
これに換えて、又は、これと組み合わせて、多機能機１０Ａが、コンテンツ提供サーバ９０，９１からフィード情報を取得したときに、取得したフィード情報を他の多機能機（多機能機１０Ｂ，１０Ｃ）へ送出することによって二次配布する構成としてもよい。
【０１２８】
あるいは、各多機能機１０Ａ，１０Ｂ，１０Ｃは、二次配布を行う場合であっても二次配布先にシグナルを送出せず、各多機能機が、それぞれに設定されている参照タイミングで、コンテンツ提供サーバ９０，９１又は他の多機能機にアクセスしてフィード情報を取得する構成としてもよい。かかる構成とする場合には、ＵＲＬ記憶領域２０ｂに方法１０４を記憶させる必要がない。
【０１２９】
また、上記実施形態では、多機能機１０Ａは、他の多機能機からフィード情報ＵＲＬのリストを取得し、そのリストを元にフィード情報ＵＲＬを登録する構成としたが、多機能機１０Ａのキーパッド５２や表示パネル５０のタッチパネル機能を用いて、所望するフィード情報ＵＲＬをユーザが入力する構成としてもよい。かかる場合には、ユーザが入力したフィード情報ＵＲＬを、他の多機能機のＵＲＬ記憶領域２０ｂから検索して情報を収集し、更新頻度を比較するようにすればよい。
【０１３０】
また、上記実施形態では、多機能機１０Ａは、登録を所望するフィード情報ＵＲＬと同じフィード情報ＵＲＬが、他の多機能機に登録されている場合に、更新頻度の比較を行い、コンテンツ提供サーバ９０，９１へ代表してアクセスする多機能機を決める構成としたが、自身が登録を所望するフィード情報ＵＲＬと同じフィード情報ＵＲＬが他の多機能機に登録されていなかったとしても、他の多機能機の更新頻度の方が高ければ、他の多機能機を経由してフィード情報を取得する構成としてもよい。
【０１３１】
また、上記実施形態では、図８のＳ６１の処理において、自身のフィード情報の更新頻度と提供元の多機能機の更新頻度とが同じと判断された場合には、第２登録設定処理（Ｓ６３）へ移行する構成としたが、第１登録設定処理（Ｓ６２）へ移行する構成としてもよい。
【０１３２】
なお、上記実施形態における用語「コンテンツ」を「サイト内の複数の情報のうちの１つの情報」と言い換えてもよい。ここで、「複数の情報」のそれぞれは、１のＵＲＬに対応している。従って、用語「コンテンツ」を「サイト内の１つのＵＲＬに対応している情報」と言い換えることもできる。
【０１３３】
また、フィード情報（コンテンツ要約情報）は、サイト情報を含んでいてもよい。サイト情報は、サイトのタイトルを含んでいてもよい。フィード情報は、複数のコンテンツのそれぞれについて、当該コンテンツのタイトル文字列と当該コンテンツのＵＲＬとを含んでいてもよい。コンテンツ要約情報は、複数のコンテンツのそれぞれについて、当該コンテンツが更新された日時を示す情報を含んでいてもよい。コンテンツ要約情報は、複数のコンテンツのそれぞれについて、当該コンテンツの文字列が要約された要約文字列を含んでいてもよい。要約文字列は、コンテンツのタイトルより多い文字列であって、コンテンツの全体の文字列より少ない文字列であってもよい。
【図面の簡単な説明】
【０１３４】
【図１】本発明における通信システムの一実施形態である多機能機システムを示す概略図である。
【図２】多機能機の構成を示すブロック図である。
【図３】（ａ）は、ＵＲＬ記憶領域の記憶内容の一例を示す模式図であり、（ｂ）は、ＲＳＳ設定情報記憶領域２０ｃの記憶内容の一例を示す模式図である。
【図４】表示情報記憶領域の記憶内容の一例を示す。
【図５】表示パネル５０の表示内容の一例を示す模式図である。
【図６】（ａ）は、多機能機のＣＰＵにより実行される第１フィード情報取得処理を示すフローチャートであり、（ｂ）は、多機能機のＣＰＵにより実行される第２フィード情報取得処理を示すフローチャートである。
【図７】多機能機のＣＰＵにより実行される多機能機表示処理を示すフローチャートである。
【図８】多機能機のＣＰＵにより実行されるフィード情報ＵＲＬ登録処理を示すフローチャートである。
【図９】（ａ）は、図８のフィード情報ＵＲＬ登録処理の中で実行される第１登録設定処理を示すフローチャートであり、（ｂ）は、多機能機のＣＰＵにより実行される第１登録変更処理を示すフローチャートである。
【図１０】（ａ）は、図８のフィード情報ＵＲＬ登録処理の中で実行される第２登録設定処理を示すフローチャートであり、（ｂ）は、多機能機のＣＰＵにより実行される第２登録変更処理を示すフローチャートである。
【符号の説明】
【０１３５】
２              多機能機システム（情報取得システムの一例）
１０            多機能機（情報取得装置の一例）
１６ｆ          ＵＲＬ登録プログラム（情報取得プログラムの一例）
２０ｂ          ＵＲＬ記憶領域（位置情報記憶手段）
２０ｃ          ＲＳＳ設定情報記憶領域（設定情報記憶手段）
Ｓ１１，Ｓ２１  要約情報共有手段の一例、要約情報共有ステップの一例、
Ｓ５２          位置情報収集手段の一例、位置情報収集ステップの一例
Ｓ６０          設定情報取得手段の一例  、設定情報取得ステップの一例
Ｓ６１          頻度比較手段の一例、頻度比較ステップの一例
Ｓ６２          接続装置設定手段の一例、第１の設定手段の一例、接続装置設定ステップの一例
Ｓ６３          接続装置設定手段の一例、第２の設定手段の一例、接続装置設定ステップの一例
Ｓ９１          参照位置設定手段の一例
Ｓ９４          取得タイミング設定手段の一例
【図１】
2010086272.tif 000003
【図２】
2010086272.tif 000004
【図３】
2010086272.tif 000005
【図４】
2010086272.tif 000006
【図５】
2010086272.tif 000007
【図６】
2010086272.tif 000008
【図７】
2010086272.tif 000009
【図８】
2010086272.tif 000010
【図９】
2010086272.tif 000011
【図１０】
2010086272.tif 000012